(57)【特許請求の範囲】
【請求項１】
コンクリート基礎工事に用いられるベースモルタル形成装置であって、地盤面に配置したモルタル塊を押圧して、ベースモルタル面として水平に均す押圧均し部と、該押圧均し部と接続部において垂直に接続されており、ベースモルタル面の水平高さを所定の水平基準に照合するための水平照合部を有する直立部と、前記押圧均し部でモルタル塊を均す時にベースモルタル面の水平状態を確認するための水平器とを有し、前記押圧均し部の少なくとも一部が透明または半透明素材によって構成されていることを特徴とするベースモルタル形成装置。
【発明の詳細な説明】
【技術分野】
【０００１】
基礎工事の地業面に施すベースモルタルの形成装置に関する。
【背景技術】
【０００２】
従来技術での地業上のベースモルタルの施工方法は、１）目盛付の棒状の物、又は、基準点をマーキングをした棒状の物等を使用して遣り方（基礎周囲の全部又は一部に設けた仮設の囲み柵で、基礎工事の設置高さや位置出しの基準となるもの）に張った水糸等と照合して高さを確認しながらモルタルを金コテ等で均していた。
また、２）特許文献１には長棒体に目盛とハンドルとモルタル均し板が付いた縦長筒体を装着して、縦長筒体を上下動調整して均し板を所定の高さに設定し、べ一スモルタルを該所定の高さに形成するためのべ一スモルタルの水平均し装置が開示されている。
【０００３】
しかし、１）レベルモルタル施工時に、モルタルのレベルを遣り方（基礎周囲の全部又は一部に水平に設置される板で、基礎工事の設置高さや位置出しの基準となるもの）に張った水糸等で作業姿勢を変えながら確認するなどの作業の煩雑さや労力が大きいこと。また、その煩雑さや労力のためにモルタルの高さ合わせや頂部の水平さが不正確になりやすいことが問題であった。
また、２）特許文献１の技術開示では、均し板の回転によりモルタル塊を押し均すこととなるため、該モルタル塊が所定のベースモルタルの位置からずれてしまうことがある。また、均しているモルタル面に空気が入り込みやすく、凹部ができ、密実なモルタルの平滑面が形成できない場合がある。
【特許文献１】特開平１１−３３６０８８号公報
【発明の開示】
【発明が解決しようとする課題】
【０００４】
本発明は、施工精度が高く、施工が容易なベースモルタルの形成装置、特に密実で表面が平滑なベースモルタルを一連の作業として形成できるベースモルタル形成装置を提供するものである。
【課題を解決するための手段】
【０００５】
本発明は、下記の通りである。
１．コンクリート基礎工事に用いられるベースモルタル形成装置であって、地盤面に配置したモルタル塊を押圧して、ベースモルタル面として水平に均す押圧均し部（２）と、該押圧均し部（２）と接続部（３）において垂直に接続されており、ベースモルタル面の水平高さを所定の水平基準に照合するための水平照合部（１ａ）を有する直立部（１）と、前記押圧均し部（２）でモルタル塊を均す時にベースモルタル面の水平状態を確認するための水平器（５）とを有し、前記押圧均し部（２）の少なくとも一部が透明または半透明素材によって構成されていることを特徴とするベースモルタル形成装置。
【０００６】
ここで、ベースモルタルとは、基礎の鉄筋などを所定の高さに配置するための鉄筋を受ける土台であり、基礎の中に埋め込まれるものである。ベースモルタルは、鉄筋、型枠等を受ける馬又は、バーサポート等の土台となる大きさ（面積）を有し、ベースモルタル表面は平滑であるとともに、該ベースモルタルを地業面に設ける際には所定の水平高さの基準に合っていなければならない。
押圧均し部（２）は、モルタル塊を密実に押し伸ばすための適度な強度が必要である。またモルタル面を平滑に均すために底面が平滑になっている。
直立部（１）は、例えば、長い棒状やバー状のもので構成されるが、特にその形状は限定されない。また、その長さは基礎の地業面から基礎や土台までの高さに応じて適宜選択されるものである。水平照合部（１ａ）は、光学レベル測定機用の光線を受ける受光器を設置した部位、又は光学水準器（いわゆるレベル）の光線に合わせて目盛りをマーキングした部位である。直立部（１）に設けられ、レベル測定器や遣り方に張設した水糸を基準にしてベースモルタル表面を所定の高さを合わせるために設ける。
【０００７】
水平器（５）は、押圧均し部（２）、直立部（１）、又は接続部（３）など、モルタル塊を押し下げた後に行うべきベースモルタル面の均し作業時に使用する。
接続部（３）は、押圧均し部（２）に対して直立部（１）を垂直に維持するために設けられ、例えばベースプレート（ベース部）、立上り部、中継部、またはサポートであり、それらは単独または複数を組合わせて用いられる。例えば、ベースプレートのみで用いても良いが、直立部（１）を２〜４方向からサポート（斜角材、円弧形状パイプなど）で支持する場合、ベースプレートとサポートの組み合わせが好ましい。サポートと組み合わせる場合は、ベースプレートは薄板状にしたものが好ましく、サポートは軽量化の観点から中空のパイプ状の材料が好ましい。サポートは、断面丸型、角型等人が握りやすく操作しやすい断面形状であることが好ましい。特に丸型で径１０〜３０ｍｍが好ましい。
【発明の効果】
【０００８】
（１）請求項１によれば、この装置を使用してベースモルタル施工すれば、基礎の遣り方に張った水糸を見ながら、足元のベースモルタルの形成する作業を行う際に上をみて下をみての繰り返し作業から開放され、作業者は、１人で一連のベースモルタル形成の作業を簡易に行うことができ、かつ品質のよいベースモルタルを施工することができる。特に１ａとしてレベル測定器の受信機をこの治具に取付けることにより、作業姿勢を変える労力も減り作業性が向上し、作業時間や作業品質も向上する。
また、操作中にモルタル塊の位置や形状を認識しながら均し作業をすることができ、作業視界中にある水平器（５）により作業者は水平かいなかを確認できるので、いちいち装置をどかさなくても（押圧均し部（２）を均し中のモルタル上からはずさなくても）、モルタル面が水平かいなかを確認できるので、手間を掛けずに密実で平滑なベースモルタル面を形成できる。
【発明を実施するための最良の形態】
【０００９】
以下、本発明の好ましい形態を中心に説明する。
（直立部（１））
直立部（１）は、平板（バー）、角型パイプ、又は丸型パイプの断面形状などで構成することができ、特に断面形状は限定されるものではないが、操作、運搬の観点からは、人が握れる調度いい外周囲寸法（実施形態では、１９ｍｍ角、直径１９ｍｍ程度）がよい。
（押圧均し部（２））
木製ベニヤ板、透明アクリルプラスチック樹脂板など平板状のものが使用できる。ベースモルタルは、大体１２０ｍｍ×２００ｍｍの楕円形に形成するので、均し面はこの大きさ以上のものとする。また、押圧均し部（２）の上に水平器（水準器）を設置することができる。これにより押圧均し部（２）の水平状態やならしているモルタルの頂部の水平状態を確認することが出来る。また、べ一スモルタルの領域（目盛り付き）２ａが表面に示されている場合、該ベースモルタルが所定の面積に均されているかどうかも確認することができる。
（接続部（３）及び操作部（４））
直立部（１）が押圧均し部（２）に固定される構成であるため、本装置を使用する際に直立部（１）が外れる（倒れる）おそれがある。その倒れの補強として接続部（３）が施されることが好ましく、かつ均し作業の操作のための操作ハンドルが設けられることが好ましい。
【００１０】
次に図１〜４を用いて本発明に係るベースモルタル形成装置の実施形態を説明する。なお、図１〜３において（ａ）（ｂ）は、ベースモルタル形成装置の正面図であり、（ｃ）（ｄ）は、ベースモルタル形成装置の平面図である。図４においては、（ａ）は、ベースモルタル形成装置の正面図、（ｂ）は、ベースモルタル形成装置の平面図、（ｃ）は、接続部（中継部）の平面図である。
【００１１】
［実施形態１］ 
図１は、本発明に係るベースモルタル形成装置の接続部であるベース部により直立部（１）の倒れの補強をした例である。接続部（３）であるベース部（３ｂ）は、押圧均し部（２）側に接着やネジ止め固定される直立部（１）より径の大きな円筒形又は四角形で所定の厚みを有し、本装置の使用時に直立部（１）が外れないように構成されている）。該ベース部（３ｂ）の上に直立部（１）が接続する形態である。バー状の直立部（１）には、操作部（４）である取手（ラバー材などを巻いたもの）を設けるか（（ａ）図）、又は立上り部（３ａ）全体を人が握るのに適当な大きさの寸法形状とする（（ｂ）図））。べ一スモルタルの領域（目盛り付き）２ａを示す表示が押圧均し部（２）の表面に施されている。
なお、図（ａ）（ｃ）は直立部がバー状、（ｂ）（ｄ）図は、角パイプ状のものである。
【００１２】
［実施形態２］
図２は、本発明に係るベースモルタル形成装置の立上り部（３ａ）、サポート（斜角材）（３ｃ）により直立部（１）の倒れを補強をした例である。
接続部（３）は、立上り部（３ａ）、サポート（３ｃ）からなる。４本のサポート（３ａ）を押圧均し部（２）上面に固着する。押圧均し部（２）に立上り部（３ａ）が固定され、立上り部（３ａ）をサポート（３ｃ）で倒れの補強する構造となっている。直立部（１）と立上り部３ａは同一断面形状として一体としても良い。立上り部（３ａ）、サポート（３ｃ）には、操作部（４）である取手を設けるか、又は立上り部（３ａ）全体、サポート（３ｃ）全体を人が握るのに適当な寸法、形状とする。べ一スモルタルの領域（目盛り付き）２ａを示す表示が押圧均し部（２）の表面に施されている。なお、図（ａ）（ｃ）は直立部がバー状、（ｂ）（ｄ）図は、角パイプ状のものである。
【００１３】
［実施形態３］
図３は、本発明に係るベースモルタル形成装置を軽量化したものである。直立部（１）の倒れ補強として押圧均し部（２）に面着して固定する接続部（３）であるベースプレート（３ｂ）を薄くして平面視菱形として、サポート（３ｃ）の本数を２本に減らした。サポート（３ｃ）は、操作部（４）としての使い勝手よさから、押圧均し部（２）の上面のベースプレート（３ｂ）から直立部（１）棒状の側面を緩やかな曲線（円弧）で繋ぎ、作業者が握る部分とした丸パイプ材を使用している。
べ一スモルタルの領域の大きさを測定する目盛り２ａが押圧均し部（２）の表面にの施されている。なお、図（ａ）（ｃ）は直立部がバー状、（ｂ）（ｄ）図は、角パイプ状のものである。
【００１４】
［実施形態４］
図４は、本発明に係るベースモルタル形成装置の押圧均し部（２）上面の透明部分を最大化した実施形態である。接続部（３）を中継部（３ａ）とサポート（丸パイプ）（３ｃ）で構成し、直立部（３）の外れ（倒れ）を防止する。押圧均し部（２）と接続部（３）（立上り部（３ａ）（中継部（３a））、サポート（３ｃ））との固定は、ビスやボルト・ナットによるが、平滑なベースモルタル面を形成するため押圧均し部（２）の底面側には出張らないように固定する。べ一スモルタルの領域（目盛り付き）２ａを示す表示が押圧均し部（２）の表面に施されている。
【００１５】
（装置の使用方法）
図５は本発明に係る装置を使用したべ一スモルタルの施工手順の一例である。
（１）割栗石・砂利などを転圧した地業面（１０）に芯出しして、形成するベ一スモルタル（１２）の設置予定箇所に適当な大きさの山形にしたセメントモルタル塊（１１）を所定のピッチ（本例では、９１５ｍｍピッチ）で置き配る。セメントモルタル塊（１１）は、ベースピース（１３）ひとつあたり１箇所置き配る。
（２）次にセメントモルタル塊の直上に本発明に係るべ一スモルタル形成装置の押圧均し部（２）の底面を押圧してモルタル頂部を押し下げて、直立部（１）を遣り方１４間に水平張りする水平高さの基準用の水糸を基準に上下動調整して、所望の高さの目盛りに合っているかを確認する。
または、遣り方に張った水平高さの基準となる水糸に替えて、光学水準器を使用する場合は、遣り方の所定の高さの点から発する基準高の光線を直立部（１）に設置した直立部の水平照合部である受光器（１ａ）で受光されるように押圧均し部（２）でモルタル頂部を押し下げて水平高さを調整する。
（３）その後、両手で適宜操作部（４）を持ち、押圧均し部（２）の水平状態を押圧均し部（２）の上に設置した水平器（５）で確認してそのまま水平に引き、べ一スモルタル（１２）の上面（１２ａ）を設定高さあわせて水平に均す。
この際、片手で操作部４ａを持ち、他方の手で操作部４ｃを持つことにより安定して作業をすることができる。また、押圧均し部（２）の透明な板を介してベースモルタル（１２）の形状を確認することができるので、密実で所定の大きさ形状を確保したべ一スモルタル（１２）を形成することができる。このように、ひとつの置き配りモルタル塊（１１）の上面（１２ａ）を均し終えると次の置き配りモルタル塊（１１） の上面（１２ａ）を均す要領にて、すべての置き配りモルタル塊（１１） の上面（１２ａ）を所定の高さ且つ水平にて均すことにより縦１２０ｍｍ×横 ２００ｍｍ、厚さ２０ｍｍ程度の楕円形のべ一スモルタル（１２）を形成するのである。
（４）最後に各ベースモルタル（１２）の上にベースピース（１３）を固定し、配筋など次の工程の工事に進む。
【産業上の利用可能性】
【００１６】
本発明は、建築、土木のコンクリート工事の分野で好適に利用できる。
【図面の簡単な説明】
【００１７】
【図１】実施形態１を示す図であり、（ａ）、（ｂ）は立面図、（ｃ）、（ｄ）は平面図である。
【図２】実施形態２を示す図であり、（ａ）、（ｂ）は立面図、（ｃ）、（ｄ）は平面図である。
【図３】実施形態３を示す図であり、（ａ）、（ｂ）は立面図、（ｃ）、（ｄ）は平面図である。
【図４】実施形態４を示す図であり、（ａ）は立面図、（ｂ）は押圧均し部表面の平面図、（ｃ）は中継部の水平断面図である。
【図５】ベースモルタル形成装置を使用したベースモルタルの施工手順の例を示す流れ図である。
【符号の説明】
【００１８】
１…直立部、１ａ…直立部の水平照合部、２…押圧均し部、３…接続部、
３ａ…立上り部または中継部、３ｂ…ベース部またはベースプレート
３ｃ…サポート、４…操作部、５…水平器、２ａ…べ一スモルタルの領域（目盛り付き）
１０…地業面、１１…セメントモルタル塊、１２…べ一スモルタル、１２ａ…べ一スモルタル上面、１３…ベースピース
【図１】
0004823733.tif 000002
【図２】
0004823733.tif 000003
【図３】
0004823733.tif 000004
【図４】
0004823733.tif 000005
【図５】
0004823733.tif 000006